(57)【要約】【課題】  運転キャビンの窓外面に対する塵埃の付着を効果的に抑制して、運転キャビン内で座席に搭座する運転者の前方視界を良好に確保できるようにする。【解決手段】  運転キャビン５の窓面に沿う方向に圧縮エアーを吹き出すように構成した。【選択図】      図３
2008080961.tif 000002
【特許請求の範囲】
【請求項１】
運転キャビンの窓面に沿う方向に圧縮エアーを吹き出すように構成した作業機。
【請求項２】
運転キャビンの窓面に向けて圧縮エアーを吹き付けるように構成した作業機。
【請求項３】
運転キャビンの窓面に対する除塵用の圧縮エアーの吹き出し方向を変化させるように構成した作業機。
【発明の詳細な説明】
【技術分野】
【０００１】
本発明は、運転キャビンを備えた作業機において、キャビンの窓を通しての視認性を保つように、窓外面に対する塵埃や汚れの付着を除去または抑制するための装置に関する。
【背景技術】
【０００２】
コンバインのように多量の粉塵やワラ屑などが舞う環境下での作業では、運転キャビンの窓外面に大量の塵埃が付着することがあり、キャビン内部から窓を通して外部を見ながら作業を行う際に、外部状況を視認し難い状況が生じることがある。
このため従来では、運転キャビンの前面、あるいは側面にワイパーを付設して、付着した塵埃を掻きおとすように構成していた（例えば、特許文献１，２参照）。
【０００３】
【特許文献１】特開平１１−１８５５１号公報（段落番号〔００１０〕、及び、図１，図２）
【特許文献２】特開２００５−５３４４９号公報（段落番号〔００１８〕、〔００２１〕、及び、図７，図８）
【発明の開示】
【発明が解決しようとする課題】
【０００４】
上記特許文献１及び２に示される技術を採用すれば、運転キャビンの窓外面に付着した塵埃をワイパーで掻きおとすことにより窓外部を視認することが可能となるが、これらの特許文献１及び２に記載された技術によっても、次のような技術的課題がある。
すなわち、特許文献１，２に記載のように、窓外面に付着した塵埃をワイパーで掻きおとす構造のものでは、塵埃の量がそれほど多くない状況下では支障なく用いることができる。しかしながら、塵埃の量が極端に多くなると、ワイパーに作用する負荷が大きくなって掻き落としが良好に行われなくなったり、また、ワイパーの届かない範囲に付着した大量の塵埃が窓の透過可能な範囲の面積を極端に狭めてしまうという問題がある。
ワイパーの届かない範囲は、それほど明確には見える必要はないが、全く見えないほどに塵埃が付着してしまうと、どうしても視野が狭くなってしまうため、時々人為的に窓を拭いて必要な視野を確保したり、ワイパーが動き易い状況とするように堆積塵埃を除去するなど、相当の人手を掛ける必要が生じていた。
【０００５】
本発明は、運転キャビンの窓外面に対する塵埃の付着を効果的に抑制して、運転キャビン内で座席に搭座する運転者の視界を良好に確保できるようにすることを目的とする。
【課題を解決するための手段】
【０００６】
上記目的を達成するために講じた本発明における作業機の技術手段は、次の点に構成上の特徴、及び作用効果がある。
【０００７】
〔解決手段１〕
本発明の技術手段の一つは、請求項１に記載したように、運転キャビンの窓面に沿う方向に圧縮エアーを吹き出すように構成したことである。
【０００８】
〔解決手段１にかかる発明の作用及び効果〕
窓面に沿って吹き出された圧縮エアーが、窓面に付着しようとする塵埃を効果的に吹き飛ばすため、窓面に対する塵埃の付着を抑制することができる。
また、圧縮エアーの吹き出し範囲を広く設定することで、窓面の広範囲にわたって塵埃の付着を抑制することが可能となる。
例えば、圧縮エアーの向きを下向きに設定すれば、下方から窓面付近に舞い上がってきた塵埃を圧縮エアーにより押えることができ、窓面の視界を確保することができる。
したがって、塵埃量が多い場合にも、窓面の広範囲にわたって塵埃の付着を抑制し、広い視界を良好に保つことが可能となる。
【０００９】
〔解決手段２〕
本発明の技術手段の一つは、請求項２に記載したように、運転キャビンの窓面に向けて圧縮エアーを吹き付けるように構成したことである。
【００１０】
〔解決手段２にかかる発明の作用及び効果〕
窓面に向けて吹き出された圧縮エアーが、窓面に付着しようとする塵埃、あるいは付着した塵埃を効果的に吹き飛ばすため、窓面に対する塵埃の付着を抑制及び除去することができる。
したがって、塵埃量が多い場合にも、塵埃の付着を抑制あるいは除去し、視界を良好に保つことが可能となる。
【００１１】
〔解決手段３〕
本発明の技術手段の一つは、請求項３に記載したように、運転キャビンの窓面に対する除塵用の圧縮エアーの吹き出し方向を変化させるように構成したことである。
【００１２】
〔解決手段３にかかる発明の作用及び効果〕
窓面に沿って圧縮エアーを吹き出すように設けて、窓面に付着しようとする塵埃を効果的に吹き飛ばすため、窓面に対する塵埃の付着を抑制することができる。
また、圧縮エアーの吹き出し範囲を広く設定することで、窓面の広範囲にわたって塵埃の付着を抑制することが可能となる。
そして、窓面に対する除塵用の圧縮エアーの吹き出し方向を変化させるようにしたことにより、その変化させる方向が窓面に沿う方向であれば、圧縮エアーの吹き出しノズルの使用本数が少なくても、窓面の広範囲にわたって圧縮エアーを吹き出すことができる。
前記圧縮エアーの吹き出し方向を変化させる方向が窓面に向かう方向であれば、圧縮エアーを窓面に沿う方向と向かう方向との両方向で吹き出し、塵埃の付着の抑制と、付着した塵埃の除去とを効果的に行うことが可能となる。
したがって、塵埃量が多い場合にも、窓面の広範囲にわたって塵埃の付着を抑制あるいは除去し、広い視界を良好に保つことが可能となる。
【発明を実施するための最良の形態】
【００１３】
以下に本発明の実施の形態の一例を図面の記載に基づいて説明する。
〔作業機の全体構成〕
図１及び図３に、作業機の一例である自脱型コンバインの一例の前部を示している。このコンバインは、左右一対のクローラ走行装置１，１に支持された機体フレーム２に、刈取前処理装置３を昇降自在に装備し、脱穀装置４、運転キャビン５、原動部６、グレンタンク７等を搭載して構成された周知の構造のものである。
【００１４】
刈取前処理装置３と運転キャビン５とが、機体フレーム２の前端部に左右に並設されている。そして、図３に示すように、運転キャビン５の右側面には作業者が乗り降りする箇所を開閉するための扉５Ａが設けられているとともに、前面上部は、前方及び前方の下方に対して視界を確保するように、全面が透明板で構成されている。
また、扉５Ａの下部の前側で運転キャビン５の前面側と連なる隅角部分には、図３乃至図５に示すように、樹脂製の透明カバーＴを右前方下方を作業者が目視できるように設置している。
【００１５】
〔吹き出し除塵装置の構成〕
前記運転キャビン５は、その窓外面に対して圧縮エアーを吹き出す吹き出し除塵装置８を装備している。
この吹き出し除塵装置８は、前記原動部６に設けられたエンジンで駆動されるコンプレッサーや、コンプレッサーから供給される圧縮エアーを所定圧に調整する調圧弁などから構成される圧縮気体発生装置８０と、その圧縮気体発生装置８０側から供給される圧縮エアーを運転キャビン５の窓面に対して吹き出す吹き出しノズル８２と、その吹き出しノズル８２に圧縮エアーを導くための気体導管８１とから構成されている。
【００１６】
図１〜図３に示すように、圧縮気体発生装置８０に連通接続されている気体導管８１は、前記運転キャビン５の天井部の周囲に配設され、その気体導管８１の複数箇所に吹き出しノズル８２が配設されている。
つまり、運転キャビン５の前方側の前部窓５０の上側と、運転キャビン５の右横側部の扉５Ａに設けられた右横窓５１の上側と、右横側部の後方の右横後窓５２の上側と、運転キャビン５の左横側部に設けられた左横窓５３の上側と、運転キャビン５の後方側の窓部に設けられた後方窓５４の上側との夫々の箇所に、吹き出しノズル８２が配設されている。
【００１７】
この吹き出しノズル８２は、総て各窓５０，５１，５２，５３，５４の夫々に対してほぼ平行な方向に吹き出し方向を向けて、かつ、各窓５０，５１，５２，５３，５４の夫々の面方向に沿って所定角度αの拡がり傾向を有した状態で吹き出すように構成してある。
この吹き出しの所定角度αは、吹き出し対象の窓の面積等に応じて各ノズル毎に適宜設定すればよい。
【００１８】
吹き出しノズル８２からの圧縮エアーの吹き出しは、作業中、常時吹き出すように設定してもよいが、圧縮気体発生装置８０からの気体供給経路に制御可能な開閉弁を介装するなどして、吹き出し時間と休止時間とを設定し、間歇的に吹き出すように設定してもい。また、その吹き出し時間の間隔を塵埃の量に応じて人為的に変更できるように構成してもよい。
【００１９】
〔その他〕
図４は、乗降用ステップ２０の構造を示す。
この乗降用ステップ２０は、機体フレーム２の下部に設けられた固定ブラケット２１に連結した平行リンク機構２２により、図１及び図４に示す下降位置Ｄと、運転キャビン５の床面と同程度にまで上昇した上昇位置Ｕとに位置変更自在に構成されており、その昇降動作は油圧シリンダ２３の伸縮動作で行えるように構成されている。
【００２０】
〔別実施形態の１〕
図５及び図６は、吹き出し除塵装置８の実施形態を示している。
この実施形態の構造では、吹き出しノズル８２の構造が前述の実施形態のものとは異なり、次のように構成されている。
図５に示すように、運転キャビン５の右横窓５１に対する吹き出しノズル８２を、その噴出口８３が横軸心ｘ１周りで揺動駆動されるように構成し、右横窓５１に沿う方向で所定角度範囲を往復揺動しながら塵埃の付着抑制を行うように構成されている。
【００２１】
図５及び図６に示すように、運転キャビン５の前部窓５０に対する吹き出しノズル８２を、その噴出口８３が前後向きの横軸心ｘ２周りで揺動駆動されるノズル管８４に多数形成してあり、そのノズル管８４もノズル管８４の長手方向の軸心ｙ周りで回動するように構成してある。  したがって、この構造によれば圧縮エアーの吹き出し方向を、前部窓５０に対して、その窓面に沿う方向で所定角度範囲を往復揺動しながら塵埃の付着抑制を行う状態と、窓面に向けて吹き出す状態とに変化させることができるように構成されている。
【００２２】
〔別実施形態の２〕
前述の実施形態の構造において、吹き出しノズル８２の配設位置を、天井側に設けるものに限らず、下方側から、もしくは横側方から圧縮エアーを吹き出すことができるように、運転キャビン５の下部や、支柱部分に設けてもよい。
【００２３】
〔別実施形態の３〕
図３に示した実施形態のもののように、天井側に固定の吹き出しノズル８２を配設した構造において、任意の窓部では、この吹き出しノズル８２を用いずに従来のワイパーを配設するようにしてもよい。
また、吹き出しノズル８２が設けられている窓部に、さらに従来のワイパーを付加して併用するようにしてもよい。
【００２４】
〔別実施形態の４〕
前記図３に示した天井側に固定の吹き出しノズル８２を配設した構造のものと、前記図５に示した噴出口８３の位置を変化させる構造のものとを、各窓部において適宜振り分けて用いたり、同一の窓部で併用して用いてもよい。
【００２５】
〔別実施形態の５〕
本発明の作業機としては、上述の実施形態で示したコンバインに限らず、多くの塵埃が舞う作業環境で使用される各種のキャビン付き作業機であってもよく、例えば、農用トラクターや建設機械などが考えられる。
【図面の簡単な説明】
【００２６】
【図１】コンバイン前部の側面図
【図２】コンバイン前部の平面図
【図３】運転キャビンの斜視図
【図４】乗降ステップの説明図
【図５】運転キャビンの斜視図
【図６】吹き出しノズルの別実施形態を示す説明図
【符号の説明】
【００２７】
５                  運転キャビン
５Ａ                扉
８                  吹き出し除塵装置
８０                圧縮気体発生装置
８１                気体導管
８２                吹き出しノズル
８３                噴出口
【図１】
2008080961.tif 000003
【図２】
2008080961.tif 000004
【図３】
2008080961.tif 000005
【図４】
2008080961.tif 000006
【図５】
2008080961.tif 000007
【図６】
2008080961.tif 000008